(57)【特許請求の範囲】
【請求項１】
取り外し可能なランセット（９０、１２６）と共に使用するためのランセット切開装置であって、ユーザの皮膚に刺し傷を付けるために前記ランセット切開装置からランセットが瞬時のうちに突き出るように前記ランセットが発射されることを引き起こすための駆動装置（４４、１４２）を有し、前記ランセット切開装置は、
主ハウジング（１０、１２０）と、
前記主ハウジング（１０、１２０）にピボット式に連結されており、かつ、閉じた発射位置と、開いた装填／取り外し位置との間を移動可能である係留式ハウジング部分（１２、１２８）と、
該係留式ハウジング部分（１２、１２８）内に設けられたランセットのガイドまたはホルダ（７８、１７６）と、を備え、前記係留式ハウジング部分が、着脱自在なランセット（９０、１２６）の前端部を最初に前記ガイドまたはホルダ（７８、１７６）の中に挿入することを可能にするために開かれることが可能であるように、および、その次に発射の準備のために閉じられるように形状構成されている、ランセット切開装置。
【請求項２】
取り外し可能なランセット（９０、１２６）と共に使用するためのランセット切開装置であって、ユーザの皮膚に刺し傷を付けるためにランセットがハウジングから瞬時のうちに突き出るように前記ランセットが発射されることを引き起こすための駆動装置（４４、１４２）を有し、前記ハウジングは、前記駆動装置（４４、１４２）を収容する主ハウジング（１０、１２０）と、前記主ハウジング（１０、１２０）にピボット式に連結されており、かつ、閉じた発射位置と、着脱可能なランセットの前端部の挿入を最初に可能にするためにランセットホルダ（７８、１７６）が到達可能である開いた装填／取り外し位置との間を移動可能である、係留式可動前方部分（１２、１２８）とを備えるランセット切開装置。
【請求項３】
前記ランセットホルダ（７８、１７６）は、前記前方部分（１２、１２８）に対して相対的に縦方向移動するように、前記前方部分（１２、１２８）上に取り付けられている請求項２に記載のランセット切開装置。
【請求項４】
停止手段（７２、１８２）が、前記前方部分がその開位置にある時に前記ランセット（９０、１２６）とランセットホルダ（７８、１７６）の少なくとも１つの前方移動を制限するために備えられている請求項３に記載のランセット切開装置。
【請求項５】
前記停止手段（７２）は、前記主本体部分（１０）から延びており、かつ、前記前方部分が開いている時に前記ランセットホルダ（７８）の移動を阻止するようになっている、腕状部を含む請求項４に記載のランセット切開装置。
【請求項６】
前記前方部分を開位置に向かって偏倚させる手段（１７４）を含む、請求項２から請求項５のいずれか１つに記載のランセット切開装置。
【請求項７】
前記開き移動を制動するための制動手段を含む、請求項２から請求項６のいずれか１つに記載のランセット切開装置。
【請求項８】
前記可動前方部分を前記閉位置にラッチ留めするための釈放自在なラッチ手段（１６２、１０６、１３０、１６８）を含む、請求項２から請求項７のいずれか１つに記載のランセット切開装置。
【請求項９】
前記ばね移動を制動するためのダンパ手段を含む、請求項２から請求項８のいずれか１つに記載のランセット切開装置。
【請求項１０】
前記前方部分は、使用中に患者の皮膚に係合するための前方表面を有する請求項２から９のいずれか一項に記載のランセット切開装置。
【請求項１１】
前記ハウジング主部分（１２０）は、使用中に患者の皮膚に係合するための前方表面（１２２）を有する請求項１から９のいずれか一項に記載のランセット切開装置。
【請求項１２】
前記可動部分は、前記前方表面部分（１２２）の後方に配置されているハッチ（１２８）であって、前記ランセットホルダ（１７６）が前記駆動手段と作動的に整合している発射準備位置と、前記ランセットホルダがランセットを受け入れるために後方に到達可能である装填／取り外し位置との間をピボット旋回することが可能であるハッチ（１２８）を備える請求項１１に記載のランセット切開装置。
【請求項１３】
前記ハッチがその開位置にある時にその支持表面（１８２）が前記ランセットの前方移動を制限するように前記ハッチ（１２８）に隣接して配置されている支持表面（１８２）を含む請求項１２に記載のランセット切開装置。
【請求項１４】
前記支持表面（１８２）は、前記ランセット先端を受け入れるための切り込まれているかまたは切り取られている領域（１８４）を含む請求項１３に記載のランセット切開装置。
【請求項１５】
前記ランセットホルダ（１７６）は前記ハッチ部分（１２８）内にスライド自在に取り付けられておりかつばね手段（１７８）によって後方に偏倚させられている請求項１２から１５のいずれか一項に記載のランセット切開装置。
【請求項１６】
前記ハッチ（１２８）の移動の円弧の付近に配置されており、かつ、前記ハッチが閉じられる時に前記ばね手段が圧縮される（１７８）ように前記ランセット（１２８）またはランセットホルダ（１７６）と協働するように配置されている斜面手段（１８０）を含む請求項１５に記載のランセット切開装置。
【請求項１７】
前記駆動手段は、ばね偏倚力（１４２）に逆らって前方位置から後方コッキング位置に移動することが可能なハンマ（１３６）であって、前記ハンマ（１３６）がその前方位置にある時に、前記ハッチ（１２８）を閉じる時に、前記ばね手段における残留圧縮を伴って前記ランセット（１２６）が前記ハンマ（１３６）の前端部と接触させられるように、前記斜面手段に対して相対的に配置されているハンマ（１３６）を備える請求項１６に記載のランセット切開装置。
【請求項１８】
停止表面（１４６）が前記斜面手段（１８０）の付近にまたは隣接して備えられており、および、前記停止表面は、コッキングのための前記ハンマ（１３６）の後方移動時に、前記ランセット（１２６）が、前記停止表面と協働して前記ハッチの開きを阻止するために後方に移動するような構成である請求項１７に記載のランセット切開装置。
【発明の詳細な説明】
【技術分野】
【０００１】
本発明はランセット切開装置に関し、および、特に、非排他的に、着脱自在なランセットと共に使用するためのランセット切開装置に関する。
【背景技術】
【０００２】
検査の目的で血液の滴を抜き出すために皮膚に刺し傷を付けることをユーザが必要とする様々な事例がある。交差感染または汚染の可能性を減少させるために、使い捨てのランセットを伴うランセット切開装置を提供することが公知であり、この使い捨てランセットは使用の都度に取り外されて廃棄される。既存のこうした装置では、ランセットの（ランセット針または先端を含む）前端部が前方に向いている状態のままで、そのランセットがランセット切開装置の後端部に挿入されることが一般的である。多くの場合には、ランセット先端を滅菌状態に保つために、かつ、ユーザを保護するために、最初は（例えば成形された捩じ切りキャップによって）ランセット先端が覆い隠されているが、このキャップが時期尚早に取り除かれてランセット先端が露出状態のままにされ、したがってランセット切開装置の中に装填するためにランセットを深く押し込む時に負傷の原因となる危険性があり、または、ランセット先端が曲がる危険性がある。
【０００３】
本明細書では、術語「前方の（ｆｏｒｗａｒｄ）」、「後方の（ｒｅａｒｗａｒｄ）」等が、閉じ位置にある時にランセットが瞬時のうちにそれから突き出るものである前端部を有する装置を意味する。特許文献１が、別個の先端アセンブリがサンプル装置の前端部にねじ込められており、かつ、交換可能な先端を受け入れる装置を開示している。このねじ込み操作は面倒であり、手先が不器用な人々にとっては扱いにくく、および、３つの別々の構成要素の取り扱いが不便である。
【先行技術文献】
【特許文献】
【０００４】
【特許文献１】米国特許第６，４６４，６４９号明細書
【発明の概要】
【課題を解決するための手段】
【０００５】
本発明は、その一側面において、取り外し可能なランセットと共に使用するためのランセット切開装置であって、ユーザの皮膚に刺し傷を付けるためにランセットがその装置から瞬時のうちに突き出るようにランセットが発射されることを生じさせるための駆動装置を有し、この装置は、主ハウジングと、着脱自在なランセットの前端部を最初にガイドまたはホルダの中に挿入することを可能にするために開かれることが可能であるように、および、その次に発射の準備のために閉じられるように形状構成されている、係留式ピボット式装着マウジング部分（ｃａｐｔｉｖｅ  ｐｉｖｏｔａｌｌｙ  ｍｏｕｎｔｅｄ  ｍｏｕｓｉｎｇ  ｐｏｒｔｉｏｎ）とを備えるランセット切開装置を提供する。
【０００６】
このようにして、ランセットをガイドまたはホルダの中に押し込むための挿入力が後端部上にある。
【０００７】
本発明は、別の側面において、着脱自在なランセット（ｌａｎｃｅｔ）と共に使用するためのランセット切開装置であって、ユーザの皮膚に刺し傷を付けるためにランセットが上記ハウジングから瞬時のうちに突き出るようにランセットが発射されることを生じさせるための駆動装置を有し、上記ハウジングは、上記駆動装置を収容する主部分と、上記主部分にピボット式に連結されており、かつ、閉じた発射位置と、着脱可能なランセットの前端部の挿入を最初に可能にするためにランセットホルダが到達可能である開いた装填／取り外し位置との間を移動可能である係留式可動前方部分（ｃａｐｔｉｖｅ  ｍｏｖａｂｌｅ  ｆｏｒｗａｒｄ  ｐｏｒｔｉｏｎ）とを備えるランセット切開装置を提供する。
【０００８】
上記ランセットホルダが、上記前方部分内での縦方向移動のために取り付けられていることが好ましい。
【０００９】
装填中の負傷の可能性を最小限にするために、上記前方部分がその開位置にある時に上記ランセットホルダの前方移動を制限するための停止手段が備えられていることが好ましい。
【００１０】
上記停止手段が、上記前方部分が開いている時に前記前方部分に対して相対的に前記ランセットホルダが前方に移動することを阻止または制限するようになっている、上記主本体部分から延びる腕状部を含むことが好ましい。上記ランセットホルダの各側部に各々１つが係合する２つのこうした腕状部が備えられていることが好都合である。
【００１１】
上記前方部分を開位置に向かって偏倚させる手段が備えられていることが好都合だろう。上記可動部分を閉位置にラッチ留めするための釈放自在ラッチ手段をこの装置が含むことが有利だろう。制動手段が上記開き移動を制動するために備えられることがある。
【００１２】
本発明を上記のように説明してきたが、本発明は、上述した特徴または後述の説明に示されている特徴のあらゆる発明性がある組合せまたは副次的な組合せをその範囲に含む。
【００１３】
本発明は様々な形で実施されることが可能であり、および、以下では、本発明の２つの実施形態を、添付図面を参照しながら、単なる例示として説明する。
【図面の簡単な説明】
【００１４】
【図１】図１は、装填／取り外し形状構成の形における本発明によるランセット切開装置の第１の実施形態の概略的な斜視図である。
【図２】図２は、取り外されている主胴の一部分を示す、図１と同様の図である。
【図３】図３は、その閉じた発射位置にある本装置を示す、図２と同様の図である。
【図４】図４は、深さ調整器を示す本装置の前端部の分解組立詳細図である。
【図５】図５は、アセンブリされている状態の構成要素を示す、図４と同様の図である。
【図６（ａ）】図６（ａ）は、装填／取り外し形状構成の形のランセット切開装置を示す分解組立図である。
【図６（ｂ）】図６（ｂ）は、トリガボタンの詳細図である。
【図７】図７は、閉じている時の本装置の側断面図である。
【図８】図８は、第１の実施形態の平面図である。
【図９】図９は、主胴部分の一方の半分部分の詳細図である。
【図１０】図１０は、ハッチが開いている本発明によるランセット切開装置の第２の実施形態の概略的な斜視図である。
【図１１】図１１は、ハッチが開いているランセット切開装置の第２の実施形態の、胴の一部分が取り外されている側面図である。
【図１２】図１２は、装填後のハッチの閉鎖を示す図１１と同様の図である。
【図１３】図１３は、本装置のハンマのコッキング（ｃｏｃｋｉｎｇ）を示す、図１１と同様の図である。
【図１４】図１４は、ランセット切開装置の第２の実施形態の分解組立図である。
【図１５】図１５は、ハッチが閉鎖されておりかつハンマがコッキングされている、第２の実施形態の縦断面図である。
【図１６】図１６は、第２の実施形態の平面図である。
【図１７】図１７は、弓形のランセット拘束器具を示す、ハウジングの内部の図である。
【図１８】図１８は、第２の実施形態のハウジング半分部分の片方に取り付けられているラッチ凹みとトリガとの図である。
【図１９】図１９は、第２の実施形態のハンマの斜視図である。
【発明を実施するための形態】
【００１５】
最初に図１から図７を参照すると、本明細書に開示されているランセット切開装置の第１の実施形態が、図１と図２に示されている開位置と図３と図７と図８に示されている閉位置との間を移動するように前方部分１２がヒンジ式にその前端部に取り付けられている主胴部分１０を有する。この主胴部分１０は、駆動機構とコッキングスライダ（ｃｏｃｋｉｎｇ  ｓｌｉｄｅｒ）とトリガとを含み、一方、前方部分１２は、後述するように、ランセットホルダとランセットとを含む。
【００１６】
主胴部分１０内には、主胴部分１０の内壁上にその後端部において固定されている駆動ばね１６によって前方に押されているハンマ１４がスライド自在に取り付けられている。このハンマ１４は主本体部分２０と２つの一体状の腕状部２２とを有し、この腕状部２２の片方が棘状突起付き部分２４を有する。腕状部２２は、主胴部分の内壁の直径方向に互いに反対側に位置する領域の中に形成されているそれぞれのＵ字形のガイド２６の中に受け入れられる。主胴１０の右側は、一体的に形成されているトリガハウジング２８を含み、および、Ｖ字形ガイド２６と連通しているこのトリガハウジング２８の基部内には、コッキングスロット（ｃｏｃｋｅｄ  ｓｌｏｔ）３０と前方駆動スロット３２とが存在している（図９を参照されたい）。
【００１７】
後述するように、ハンマ１４がコッキングされると、弾性の腕状部２２の棘状突起付き部分２４がコッキングスロット３０の中にラッチ式に引っ掛かって、ハンマをコッキング位置に保持する。トリガボタン３４が２つの棘状突起付き腕状部３６によってそのスロット内に係留された状態に保持され、および、コッキングスロット３０と位置合わせされているトリガフィンガ３８を含む。ハンマ１４がコッキングされると、トリガボタン３４を押すことが、トリガフィンガ３８がコッキングスロット３０の中に突き出して棘状突起付き部分２４を釈放することを引き起こし、この結果として、ハンマが駆動ばね１６の影響を受けて前方に移動するだろう。ハンマが前方に移動するので、その上に棘状突起を有する腕状部２２は外側に曲がり、したがって、その棘状突起が前方駆動スロット３２の中に入り、および、棘状突起付き部分２４がランセットの後部に突き当たり終わった後に、その棘状突起付き部分２４が前方駆動スロット２１の前端部に突き当たると、ハンマが停止する。コッキングスライド４０は、主胴部分１０の内壁４６のその後端部に作用する戻しばね４４によって前方に押される後部スリーブ４２を備える。内向きの棘状突起５０を有する長方形ストリップ４８が後部スリーブ４２の前方に延びる。主胴部分内のスロット５４を通って外側に突き出すサムピース（ｔｈｕｍｂ  ｐｉｅｃｅ）５２が、ストリップ４８の下側に接合させられている。
【００１８】
ハンマ１４が発射され終わって、その最前方位置にある時に、コッキングスライド４０は後方に引っ張られることができ、その結果として、棘状突起５０がトリガの後端部上の突合表面５６に係合し、そのトリガをそのコッキング位置に引き戻し、および、ハンマの腕状部２２上の棘状突起付き部分２４がコッキングスロット３０に係合して、トリガボタン３４を押すことによって釈放される準備が整っているコッキング位置にハンマを保持する。
【００１９】
可撓性ラッチが、コッキングスライド４０から反対側においてケーシング内に取り付けられており、この可撓性ラッチは主本体６０とラッチ留め部分６２とを備え、このラッチは、ハウジング内の成形凹み６６内に受けられている突出部６４によってハウジング内に固定されている（図９を参照されたい）。ラッチ留めボタン６８が主胴内の穴７０を通って突き出る。
【００２０】
より詳細に後述する目的のために、２つの腕状部７２が主胴部分の前方に延びる。ヒンジ式前方部分１２は、主本体部分１０に７４においてヒンジ式に取り付けられている。この前方部分１２は、ランセットホルダ７８がスライド移動するように中に取り付けられている内側同軸スリーブ７６を支持する（図３および図７）。ランセットホルダは、ランセットホルダの後方移動を制限するために、内側スリーブ７６内のめくらキー溝（ｂｌｉｎｄ  ｋｅｙ  ｗａｙ）８２の中をスライドするばね付き歯（ｓｐｒｕｎｇ  ｔｏｏｔｈ）８０を有する。ばね８４が、ランセットホルダ７８上の外側フランジ８６と内側スリーブ７６との間で作用する。このばね８４は、図７では平衡位置で示されており、および、その次に、ランセットが発射される時にその平衡位置から圧縮する。
【００２１】
ランセットホルダ７８は、ランセットの前端部に係合するための前方に内曲がりしたフランジ８８を有する。ハウジングが前方にヒンジ式に動かされる時に、腕状部７２の端部がフランジ８６の前方に係合し、かつ、フランジ８６を前方ハウジングに対して相対的に後方にわずかに引っ張り、さらには、ランセットがホルダ内に装填される時にその前方移動を防止するように、外側に向けられたフランジ８６が主胴部分上の前方腕状部７２と協働するように設計されている。
【００２２】
回転可能な鼻状部品９２が、前方部分１２の前端部上に係留式に取り付けられており、および、圧縮ばね９４によってハウジングに対して相対的に後方に押されている。図５と図６とにより明瞭に示されているように、前方ハウジングの前端部は、互いに直径方向に反対側に位置している２つの前向きのＶ字形突出部９６を備えている。これらは、区分壁１００によって隔てられている異なる軸方向長さのそれぞれのアバットメント（ａｂｕｔｍｅｎｔ）９８と協働する。この構成が、ばね偏倚力に逆らって鼻状部品９２を前方に引っ張ることと、鼻状部品９２を所要の位置に向けることと、アバットメント９８の厚さによって軸方向位置が決定されるように鼻状部品９２を釈放することとによって、前方部分１２に対する相対的な鼻状部品９２の軸方向位置が調節されることを可能にする。鼻状部品９２は、軸位置を表示するノッチ１０２を含み、および、標識スロット１０４が前方部分１２上に備えられている。主胴部分１０と前方部分との合致面が、その装置の縦軸線に対して鋭角の平面にあり、および、ハウジングの前方部分１２上の留め具部分１０６がラッチ留め部分６２と協働する。
【００２３】
使用時には、ラッチ留めボタン６８を押し下げることと、この装置を「２つに折る」ために部分１２をヒンジ式に前方に動かすことによって、この装置が開かれる。こうすることによって、ランセットホルダ７８上のフランジ８６を部分１２に対して相対的にわずかに後方に引っ張ってそのフランジ８６を前方移動しないように保持するように、腕状部７２がフランジ８６と協働する。既存のランセット９０が引き抜かれて新しいランセットと交換されることが可能であり、および、新しいランセットはその装置の中に前端部から先に挿入される。ランセットホルダの動きを防止する腕状部７２は、ランセットが鼻状部品の穴を通して前方に押される可能性を取り除く。その次に、前方部分１２がパチンと閉じられる。その次に、駆動ばね１６に逆らってハンマ２０をそのコッキング位置に引き戻すために、コッキングスライド４０が後方に引っ張られ、棘状突起２４がコッキングスロット３０内に収まる。その次に、ユーザが、鼻状部品１２を引っ張って捩って釈放することによって、適切な貫入深さを選択するだろう。このように準備され終わると、ユーザはその装置を自分の皮膚に当てて、トリガボタン３４を押す。ハンマ１４がランセット９０の後部に衝突するように前方に勢いよく飛び出し、ランセット９０を瞬時のうちに鼻状部品から突き出して皮膚に穿孔するように駆動する。その後で、ハンマとランセットは図７に示されている平衡位置をとる。
【００２４】
次に図１０から図１７に示されている第２の実施形態を参照すると、ランセット切開装置は、概ね半円筒形の形状の２つの主ハウジング半分部分１２０で形成されているハウジングを備え、このハウジングの前端部には、発射時にランセット（図１０では見ることができない）の先端が中を通って突き出る穴１２４を有する鼻状部分１２２が備えられている。この鼻状部分１２２の直ぐ後方には、ランセットが装填されるか取り外されることが可能な跳ね上げ式ランセットハッチ１２８が存在する。この跳ね上げ式のハッチは釈放ボタン１３０によって釈放される。ランセットはスライダ１３２によってコッキングされ、および、ランセットは、コッキングされ終わると、トリガボタン１３４を押すことによって発射される。
【００２５】
ハウジング１２０の内側には、ハウジング半分部分の内壁上の互いに反対側に位置する溝１４０の中を延びる横方向リブ１３８によって縦方向の移動を阻止されているハンマ１３６がスライド自在に取り付けられている。このハンマは、ハンマ１３６の後端部と主ハウジングの末端壁１４４の内側表面との間に配置されている駆動ばね１４２によって前方に押されている。ハンマ１３６の前方移動が、主ハウジングに連結されている停止表面１４６によって制限されている。コッキングスライダ１３２から内向きに保護する相補的なアバットメント１５０と協働するコッキングアバットメント（ｃｏｃｋｉｎｇ  ａｂｕｔｍｅｎｔ）１４８が、ハンマ１３６の後端部から直立している。コッキングスライダは、外側から到達可能な部分と、ハウジング内の内壁１５６上に作用する圧縮ばね１５４によって前方に押されている内側ばね支持リング１５２とを有する。
【００２６】
（前方から見た場合に）左側のハウジング半分部分１２０は、内向きに移動するようにその中に係留式に取り付けられているトリガボタン１３４を有する。トリガボタン１３４は、ハウジング壁内の凹み１６０に係合させられている棘状突起付き脚部１５８によって保持されている。棘状突起付き脚部１５８の相互間には、溝１４０内に配置されているラッチ留め凹み１６４と協働する、より短いトリガフィンガ１６２が存在している。関連した溝１４０と係合するハンマ１３６の横方向リブ１３８が、ハンマをコッキング位置にラッチ留めするためにハンマが後方に引っ張られる時にラッチ留め凹み１６４内に位置する棘状突起１６６を有する、弾性的に可撓性の部分を有する形に形成されている。トリガボタン１３４を押すことが棘状突起１６６をラッチ留め凹み１６４の外に押し出し、したがってハンマが駆動ばね１４２によって前方に駆動される。
【００２７】
ランセットハッチ１２８は、そのハッチがその閉位置にある時に主ハウジングの周囲円筒形表面に形状が一致する上部弓形パネル１７０を備える。このハッチ１２８は、このハッチの箱部分１７２の両側に延びるヒンジ突起部１７０によってその装置の前端部内に回転自在に取り付けられている。ねじりばね１７４がハッチを開位置に押して動かす。適切な制動対策が、開き移動の制動を生じさせるために含まれるだろう。箱部分１７２内には、圧縮ばね１７８によって後方に押されているが歯１７９によってその箱部分に係留された状態に保持されているランセットホルダ１７６が取り付けられている。ランセットホルダ１７６は、ランセット１２６が挿入される時にそのランセット１２６の前方移動を制限するために、そのランセットホルダの内側端部に内向きのリブ１８１を含む。
【００２８】
図１１と図１４とに示されているようにランセットホルダがその開位置にある時には、圧縮ばね１７８は、ランセットホルダを、箱部分１７２の端部と同一平面であるその最後部位置に自由に押し動かすことができる。ランセット１２６がホルダに挿入される時には、ハウジングの内壁の一部分を形成する停止表面１４６と同じ構造の一部分であるラッチ表面が、ランセット１２６の後端部の移動の円弧の付近に存在している。このラッチ表面１８０の機能は、ランセット１２６がハンマ１３６と位置合わせされている形でハッチが閉じられるまで、ばね１７８を軽く圧縮するようにランセット１２６を前方に押し動かすためにランセット１２６の端部に係合することと、後述するように、ハンマがコッキングされる時に閉じられたハッチをラッチ留めすることである。
【００２９】
ランセット装填時のそのランセットの前方移動を防止するために、ランセット１２６／ランセットホルダ１７６の前方表面と協働するように設計されている弓形支持表面１８２が、ハウジングの前方下部部分内に存在している。この弓形表面は、ランセット先端を受け入れるためのノッチ１８４を備える。
【００３０】
鼻状部分１２２が、主ハウジング１２０の前端部の内側表面内の対応するねじ山付き部分のためにねじ込み式に係合させられており、したがって、ランセットの貫入深さが、鼻状部品が軸方向に出入りするようにその鼻状部品をねじることによって、調節されることが可能である。鼻状部品は、クリック設定（ｃｌｉｃｋ  ｓｅｔｔｉｎｇ）を可能にするために、ハウジングの内側表面内の戻り止め爪１８８と係合する直径方向に互いに反対側に位置した腕状部１８６を有する。標識溝１９０がハウジング上に備えられており、および、キャップの端部上の異なるサイズのノッチ１９２が、設定された深さを表示する。
【００３１】
使用時には、以前のランセット１２６が取り外しのために出現するように、そのハッチ１２８を跳ね上げて開くために釈放ボタン１３０を後方に引くことによって、ハッチ１２８が開かれる。ランセットが取り外されて、新しいランセットと交換され、および、ハッチがパチンと閉じられる（図１２）。ハンマ１３６は依然として非コッキング状態であり、その最前方位置にあり、かつ、前方の出っ張り１９４が停止表面１４６に突き当たっている。この位置では、ハンマ１３６の前方表面が傾斜表面１８０の前方頂点と同一の高さであり、したがって、ばね１７８は依然として軽く圧縮されており、および、必要に応じてハッチが再び開かれるだろう。ここから、コッキングスライダ１３２が後方にスライドさせられ、棘状突起１６６がラッチ凹み１６４の中に引っ掛かるまでそのコッキングスライダと共にハンマを後方に引っ張る。その次に、このコッキングスライダ１３２は釈放されて、その当初の位置に戻ることが可能にされる。このプロセス中は、図１３に見てとれるように、ランセットが、ばね１７８の影響を受けて後方に動いて傾斜表面１８０の下方のそのランセットの阻止位置に戻り、このことがハッチが開くことを防止する（図１３）。
【００３２】
その次に、ユーザはその装置を自分の皮膚に押し当ててトリガボタン１３４を押す。ハンマが釈放されて前方に勢いよく飛び出してランセットの後端部に衝突し、ランセットが穴１２４を通って瞬時のうちに突き出して皮膚に穿孔することを生じさせる。ハンマが、停止表面１４６に接触する出っ張り１９４によって止められ、および、ランセットは、短く前進した後に、ばね１７８の影響を受けてハウジングの中に引っ込み、したがって、これらの構成要素は図１２に示されている位置をとる。ハッチは、釈放ボタン１３０を釈放することによって開かれるだろう。
【００３３】
第２の実施形態では、ランセットの装填および取り外しの最中にキャップまたはプラットホームが所定の位置に残されているということに留意されたい。このことは、貫入設定に最小限の変動しかないということを意味する。
【図１】
0005416108.tif 000002
【図２】
0005416108.tif 000003
【図３】
0005416108.tif 000004
【図４】
0005416108.tif 000005
【図５】
0005416108.tif 000006
【図６ａ】
0005416108.tif 000007
【図６ｂ】
0005416108.tif 000008
【図７】
0005416108.tif 000009
【図８】
0005416108.tif 000010
【図９】
0005416108.tif 000011
【図１０】
0005416108.tif 000012
【図１１】
0005416108.tif 000013
【図１２】
0005416108.tif 000014
【図１３】
0005416108.tif 000015
【図１４】
0005416108.tif 000016
【図１５】
0005416108.tif 000017
【図１６】
0005416108.tif 000018
【図１７】
0005416108.tif 000019
【図１８】
0005416108.tif 000020
【図１９】
0005416108.tif 000021